(57)【要約】    【課題】室内で飼うペットのペット餌入れを、インテリアのデザインを損なうことなく素早く綺麗かつ簡単に格納可能なペット餌入れ収容引出付インテリア収納ボックスの提供。    【解決手段】インテリア収納ボックス１内の下部を仕切った中仕切板１１の上側を物入れ収納部１２にかつ下側底部内を引出格納部１３にそれぞれ画成し、引出格納部１３にはペット餌入れ３１を定位置に収容したペット餌入れ収容引出２を前後から引出状に格納可能に形成してなる構成手段の採用。【選択図】図１
0003117324.tif 000002
【実用新案登録請求の範囲】
【請求項１】
ペット餌入れを定位置に収容するペット餌入れ収容引出を底部内に外部から引出可能に格納するインテリア収納ボックスであって、
当該インテリア収納ボックスは、下部内を仕切った中仕切板の上側に天部開口から収納物を入れる物入れ収納部を画成し、当該中仕切板の下側底部内に前記ペット餌入れ収容引出を引出格納可能な引出格納部を設けてなる、
ことを特徴とする、ペット餌入れ収容引出付インテリア収納ボックス。
【請求項２】
前記インテリア収納ボックスは、
前記天部開口に蓋板を開披可能に取付けた、
ことを特徴とする、請求項１に記載のペット餌入れ収容引出付インテリア収納ボックス。
【請求項３】
前記ペット餌入れ収容引出は、
前記インテリア収納ボックス底部内の前記引出格納部両端から外部に摺動出し入れ自在であり、
また、格納時には、前記インテリア収納ボックスの底板両端上向斜截面と前記ペット餌入れ収容引出の両端板下端下向斜截面とが位置決め係合固定される、
ことを特徴とする、請求項１又は２に記載のペット餌入れ収容引出付インテリア収納ボックス。
【請求項４】
前記ペット餌入れ収容引出は、
有天無底箱形を呈し、
その天板には少なくとも一つ以上の前記ペット餌入れを取出し可能に各嵌入設置する嵌受孔を貫設する、
ことを特徴とする、請求項１、２又は３に記載のペット餌入れ収容引出付インテリア収納ボックス。
【請求項５】
前記インテリア収納ボックス及び前記ペット餌入れ収容引出は、
アクリルその他樹脂系素材からなり、
前記インテリア収納ボックスの両側面板及び前記蓋板並びに前記ペット餌入れ収容引出の前記両端板のそれぞれ外面には、
表面連続山型形状でＭＤＦ（Ｍｉｄ−Ｄｅｎｓｉｔｙ  Ｆｉｂｅｒ）素材の化粧板が装着されてなる、
ことを特徴とする、請求項３又は４に記載のペット餌入れ収容引出付インテリア収納ボックス。
【考案の詳細な説明】
【技術分野】
【０００１】
本案は、屋内で用いるペット用餌入れとペット飲水入れの収納器具を物入れボックスに一体組込んで人目に付かないようにしたペット餌入れ収容引出付インテリア収納ボックスに関する。
【背景技術】
【０００２】
少子化も影響して、ペットが家庭内で家族同然に大切にされるようになり、特に室内で飼われる小型から中型の犬や猫は、食事も飼い主と一緒にリビングルームやダイニングルームで取る場合が多くなった。
【０００３】
ペット用餌入れ及び飲水入れは、ペットが自らの必要に応じて利用できるように、常時設置されているのが一般的であるが、ペットを室内で飼う場合、飼い主の居住空間内にペットの飲食物が場合によってはハエがたかり異臭を放つ食べかけ・飲みかけのまま床に放置されることになり、人目に付いて、特に客の目にもはばかることなく我が物顔に置かれ、蹴躓いて零したりして不衛生極まりなく、インテリアのデザイン上も美観を損なう。
【０００４】
また、急な来客などに対応するために、ペット用餌入れ及び飲水入れを片付けるには、これらを客の目に触れない場所まで移動する必要があり、特に餌入れ又は飲水入れが空でない場合は、素早く綺麗かつ簡単に片付けるのは困難である。
【考案の開示】
【考案が解決しようとする課題】
【０００５】
ここにおいて、本案の解決すべき主要な目的は、以下の通りである。
即ち、本案の第１の目的は、ペット用餌入れ及び飲水入れを、素早く綺麗かつ簡単に人目に付かず隠蔽格納できる、ペット餌入れ収容引出付インテリア収納ボックスを提供せんとするものである。
【０００６】
本案の第２の目的は、違和感のないインテリアとしてのデザインをも施された、ペット餌入れ収容引出付インテリア収納ボックスを提供せんとするものである。
【０００７】
本案の他の目的は、明細書、図面、特に、実用新案登録請求の範囲の記録から、自ずと明らかになるであろう。
【課題を解決するための手段】
【０００８】
本案ペット餌入れ収容引出付インテリア収納ボックスにおいては、インテリアとしてのデザインを施された収納ボックスの底部に、一体組込んでペットの餌入れを収容した引出を格納可能に設ける、という特徴的構成手段を講じる。
【０００９】
さらに、具体的詳細に述べると、当該課題の解決では、本案が次に列挙する上位概念から下位概念にわたる新規な特徴的構成手段を採用することにより、前記目的を達成するよう為される。
【００１０】
即ち、本案の第１の特徴は、ペット餌入れを定位置に収容するペット餌入れ収容引出を底部内に外部から引出可能に格納するインテリア収納ボックスであって、当該インテリア収納ボックスが、下部内を仕切った中仕切板の上側に天部開口から収納物を入れる物入れ収納部を画成し、当該中仕切板の下側底部内に前記ペット餌入れ収容引出を引出格納可能な引出格納部を設けてなる、ペット餌入れ収容引出付インテリア収納ボックスの構成採用にある。
【００１１】
本案の第２の特徴は、上記本案ペット餌入れ収容引出付インテリア収納ボックスの第１の特徴における前記インテリア収納ボックスが、前記天部開口に蓋板を開披可能に取付けてなる、ペット餌入れ収容引出付インテリア収納ボックスの構成採用にある。
【００１２】
本案の第３の特徴は、上記本案ペット餌入れ収容引出付インテリア収納ボックスの第１又は第２の特徴における前記ペット餌入れ収容引出が、前記インテリア収納ボックス底部内の前記引出格納部両端から外部に摺動出し入れ自在であり、また、格納時には、前記インテリア収納ボックスの底板両端上向斜截面と前記ペット餌入れ収容引出の両端板下端下向斜截面とが位置決め係合固定されてなる、ペット餌入れ収容引出付インテリア収納ボックスの構成採用にある。
【００１３】
本案の第４の特徴は、上記本案ペット餌入れ収容引出付インテリア収納ボックスの第１、第２又は第３の特徴における前記ペット餌入れ収容引出が、有天無底箱形を呈し、その天板には少なくとも一つ以上の前記ペット餌入れを取出し可能に各嵌入設置する嵌受孔を貫設してなる、ペット餌入れ収容引出付インテリア収納ボックスの構成採用にある。
【００１４】
本案の第５の特徴は、上記本案ペット餌入れ収容引出付インテリア収納ボックスの第３又は第４の特徴における前記インテリア収納ボックス及び前記ペット餌入れ収容引出が、アクリルその他樹脂系素材からなり、前記インテリア収納ボックスの両側面板及び前記蓋板並びに前記ペット餌入れ収容引出の前記両端板のそれぞれの外面には、表面連続山型形状でＭＤＦ（Ｍｉｄ−Ｄｅｎｓｉｔｙ  Ｆｉｂｅｒ）素材の化粧板が装着されてなる、ペット餌入れ収容引出付インテリア収納ボックスの構成採用にある。
【考案の効果】
【００１５】
本案によれば、小型若しくは中型の犬又は猫などのペットを室内で飼育する上で、ペットの餌入れ及び飲水入れをインテリア収納ボックスに格納することにより、飼い主の居住空間を視覚的に快適にする。
【００１６】
また、急な来客などの場合でも、素早く綺麗かつ簡単にペット餌入れ収容引出をインテリア収納ボックスに一体組込み格納可能である。さらに、引出摺動方向の前後両方向から出し入れが可能でありながら、インテリア収納ボックスの底板両端上向斜截面とペット餌入れ収容引出の両端板下向斜截面とが位置決め係合固定されるのでペット餌入れ収容引出の格納が安定する。
【００１７】
さらに、ペット餌入れ収容引出は格納時においても使用時と同じ地面の高さにあるので、仮にインテリア収納ボックス全体が揺れたとしても餌や水がこぼれ易くはならない。
【００１８】
また、ペット餌入れを引出に収容する機構もペット餌入れ収容引出をインテリア収納ボックスに格納する機構も簡単な構造であり、狭い隙間や小さい部品も無いので、手入れが容易であり、結果的にペットにとっても飼い主にとっても衛生的に使用可能である。
【００１９】
さらに、インテリア収納ボックスの天部開口は開口のままとせず本体に蝶番で接続された天板を上方向に開く構造とした場合、小型若しくは中型の犬又は猫などのペットが悪戯をしたとしても開きにくいし収納物を外から見られなくし得る。
【考案を実施するための最良の形態】
【００２０】
以下、添付図面を参照して、本案の実施の最良形態について、ペット餌入れ収容引出付インテリア収納ボックス例を挙げて詳細に説明する。
【００２１】
図１は、本案の最良形態例を示す斜視図で餌入れ収容引出及び餌入れを外した状態である。図２は、本案の最良形態例を示す平面図（ａ）、左側面図（ｂ）及び正面図（ｃ）である。図３は、本案の最良形態例を構成するインテリア収納ボックス１を示す図２（ａ）中Ａ−Ａ線矢視断面図である。図４は、本案の最良形態例を構成するペット餌入れ３ａ及び飲水入れ３ｂを収容したペット餌入れ収容引出２を示す平面図（ａ）、左側面図（ｂ）及び正面図（ｃ）である。図５は、本案の最良形態例を構成するペット餌入れ収容引出を示す平面図（ａ）、（ａ）中Ｂ−Ｂ線矢視断面図（ｂ）及びＣ−Ｃ線矢視断面図（ｃ）である。
【００２２】
図中、１はインテリア収納ボックス、１１はインテリア収納ボックス１内下部を上下に仕切って上側を物入れ収納部１２に下側を引出格納部１３にそれぞれ画成する中仕切板、２はペット餌入れ収容引出、３は半円形椀状のペット餌入れであり、本案の最良の形態例を構成する。図１に示すように、ペット餌入れ３はペット餌入れ収容引出２定位置にそれぞれ収容可能であり、さらに、ペット餌入れ収容引出２はインテリア収納ボックス１の底部内に引出状に格納可能である。
【００２３】
図１及び図３に示すように、インテリア収納ボックス１の蓋板１４は蝶番１５によって開閉し、ここから物入れ収納部１２内に任意の収納物を出し入れする。例えば、ペット用品をまとめて収納しても良いし、又は、マガジンラックとして使用してもオモチャ箱としても良い。
なお、図１、図２及び図３に示すように、蓋板１４の裏には蓋板補強材１６を裏付け設置しても良い。
【００２４】
図４及び図５に示すように、ペット餌入れ収容引出２は、一般的な引出を逆さにして、前後両端縁が突出した天板２１となし、底板がない長方箱形である。天板２１にはペット餌入れ嵌受孔２２が一対貫設してあり、その直径はペット餌入れ３を上から差し込んだ際に鍔縁３１が掛止するようにする。なお、ペット餌入れ嵌受孔２２及びペット餌入れ３の数は２個に限定されず、また、ペット餌入れ３をペット飲水入れとして使用しても構わない。
【００２５】
図３に示すように、インテリア収納ボックス１の底板１７は、前後両端上縁が面取りされた上向斜截面１８を、また、図５に示すように、ペット餌入れ収容引出２の前後両端板２３突出下端内縁が同じく面取りされた下向斜截面２４をそれぞれ形成されている。図２に示すように、インテリア収納ボックス１の引出収納部１３内にペット餌入れ収容引出２を格納すると、両上下向斜截面１８，２４が対面して位置決め係合固定されることによって、ペット餌入れ収容引出２の格納時の安定が得られる。
【００２６】
なお、図２に示すように、インテリア収納ボックス１の中仕切板１１下側と、インテリア収納ボックス１の引出格納部１３に格納された状態のペット餌入れ収容引出２上側との間には隙間が設けてあり、ペット餌入れ収容引出２をインテリア収納ボックス１の引出格納部１３に出し入れする際に多少持ち上げ、前記上下向斜截面１８，２４でのストッパ係合を解除することが可能である。
【００２７】
図２並びに図４及び図５に示すように、インテリア収納ボックス１の左右両側面板１９よりも引込んだ前後両面板２０及び蓋板１４並びにペット餌入れ収容引出２の前後両端板２３は外面にそれぞれ、ＭＤＦ（Ｍｉｄ−Ｄｅｎｓｉｔｙ  Ｆｉｂｅｒ）素材である表面連続山型化粧板４１，４２が貼り付けられ、デザイン性が高められると同時に強度が補強されている。
【００２８】
インテリア収納ボックス１及びペット餌入れ収納引出２の配色は、無色又は半透明を含め何ら限定されず、如何なるインテリアデザインにも適合するよう自由にバリエーションを付けることができ、また素材もアクリル及びＭＤＦ（Ｍｉｄ−Ｄｅｎｓｉｔｙ  Ｆｉｂｅｒ）素材の組み合わせに限定されない。
【００２９】
ペット餌入れ３は、衛生及び取り扱い易さの観点からステンレス製だが、素材、形状及び色は特に限定されず、前記ペット餌入れ収容引出２の天板２１に貫設されたペット餌入れ嵌受孔２２に掛止するよう鍔縁３１があればよい。
【００３０】
本案の最良形態例では、ペット餌入れ及び嵌受孔２２が円形の場合を説明したが相互に合致する対応形状であれば一向に構わず、化粧板４１，４２も他の表面形状や模様であっても、又、収納ボックス１の天部開口は蓋板１４を設けず開口状態で中身を見易くしてもよい。
【図面の簡単な説明】
【００３１】
【図１】本案によるペット餌入れ収容引出付インテリア収納ボックスの斜視図で餌入れ収容引出及び餌入れを外した状態である。
【図２】本案によるペット餌入れ収容引出付インテリア収納ボックスの平面図（ａ）、左側面図（ｂ）及び正面図（ｃ）である。
【図３】ペット餌入れ収容引出を引き出した後の本案によるインテリア収納ボックスの図２（ａ）中Ａ−Ａ線矢視断面図である。
【図４】本案によるペット餌入れを収容したペット餌入れ収容引出の平面図（ａ）、左側面図（ｂ）及び正面図（ｃ）である。
【図５】本案によるペット餌入れ収容引出の平面図（ａ）、（ａ）中Ｂ−Ｂ線矢視断面図（ｂ）及び（ａ）中Ｃ−Ｃ線矢視断面図（ｃ）である。
【符号の説明】
【００３２】
１：インテリア収納ボックス
１１：中仕切板                １６：蓋板補強材
１２：物入れ収納部            １７：底板
１３：引出格納部              １８：上向斜截面
１４：蓋板                    １９：左右側面板
１５：蝶番                    ２０：前後面板
２：ペット餌入れ収容引出
２１：天板                    ２３：前後端板
２２：ペット餌入れ嵌受孔      ２４：下向斜截面
３：ペット餌入れ
３１：鍔縁
４１，４２：化粧板
【図１】
0003117324.tif 000003
【図２】
0003117324.tif 000004
【図３】
0003117324.tif 000005
【図４】
0003117324.tif 000006
【図５】
0003117324.tif 000007